(57)【要約】【課題】  医療用画像の取扱いを容易にする医療情報管理装置を提供する。【解決手段】  ＤＩＣＯＭ医療画像を当該画像の医療情報と関連付けて記憶するＤＩＣＯＭ画像記憶部１２０と、ＤＩＣＯＭ医療画像から、コメントセグメントを含むデータフォーマットを有するＪＰＥＧ画像に変換するＪＰＥＧ画像生成部１３０と、ＪＰＥＧ画像にその元のＤＩＣＯＭ医療画像を関連付ける画像特定情報を、当該ＪＰＥＧ画像のコメントセグメントに記録するＪＰＥＧ画像生成部１３０と、ＪＰＥＧ画像を記憶するＪＰＥＧ画像記憶部１５０と、を備える。【選択図】      図１
2006260232.tif 000002
【特許請求の範囲】
【請求項１】
ＤＩＣＯＭ医療画像を当該画像の医療情報と関連付けて記憶するＤＩＣＯＭ画像記憶部と、
前記ＤＩＣＯＭ医療画像から、付帯情報記憶領域を含むデータフォーマットを有する圧縮画像に変換する変換部と、
前記圧縮画像にその元の前記ＤＩＣＯＭ医療画像を関連付ける画像特定情報を、当該圧縮画像の前記付帯情報記憶領域に記録する情報記録部と、
前記圧縮画像を記憶する圧縮画像記憶部と、
を備えたことを特徴とする医療情報管理装置。
【請求項２】
請求項１に記載の医療情報管理装置において、
前記画像特定情報は、
患者識別情報、検査識別情報、検査シリーズ識別情報、および画像識別情報の少なくとも一つを含むことを特徴とする医療情報管理装置。
【請求項３】
請求項１または２に記載の医療情報管理装置において、
前記圧縮画像の前記データフォーマットはＪＰＥＧ形式であり、
前記圧縮画像の前記データフォーマットの前記付帯情報記憶領域は、前記ＪＰＥＧ形式のデータフォーマットのユーザ領域である所定のセグメントであり、
前記医療情報管理装置は、前記セグメントを検出する検出部を含み、
前記情報記録部は、前記検出された前記セグメントに、前記画像特定情報を記録することを特徴とする医療情報管理装置。
【請求項４】
請求項３に記載の医療情報管理装置において、
前記セグメントは、前記ＪＰＥＧ形式の前記データフォーマットのコメントセグメントであり、
前記検出部は、前記コメントセグメントを検出し、
前記情報記録部は、前記検出された前記コメントセグメントに、前記画像特定情報を記録することを特徴とする医療情報管理装置。
【請求項５】
請求項１乃至４いずれかに記載の医療情報管理装置において、
前記圧縮画像を外部装置に送信する送信部を含むことを特徴とする医療情報管理装置。
【請求項６】
ＤＩＣＯＭ医療画像を含む医療情報を管理する医療情報管理装置に接続され、前記医療情報を参照する医療情報参照装置であって、
圧縮画像を前記医療情報管理装置から受信する圧縮画像受信部と、
前記圧縮画像を表示する画像表示部と、
前記画像表示部に表示された前記圧縮画像のうち、ユーザが詳細表示指定した圧縮画像を受け付ける受付部と、
前記受付部が受け付けた前記圧縮画像から画像特定情報を抽出する抽出部と、
前記抽出部が抽出した前記画像特定情報を含むＤＩＣＯＭ医療画像要求指示を、前記医療情報管理装置に送信する画像要求部と、
前記医療情報管理装置から、前記ＤＩＣＯＭ医療画像を受信するＤＩＣＯＭ医療画像受信部と、
を備えたことを特徴とする医療情報参照装置。
【請求項７】
ＤＩＣＯＭ医療画像を含む医療情報を管理する医療情報管理装置と、
前記医療情報管理装置に接続され、前記医療情報を参照する外部装置と、を備えた医療情報処理システムにおいて、
前記医療情報管理装置は、
ＤＩＣＯＭ医療画像を当該画像の医療情報と関連付けて記憶するＤＩＣＯＭ画像記憶部と、
前記ＤＩＣＯＭ医療画像から、付帯情報記憶領域を含むデータフォーマットを有する圧縮画像に変換する変換部と、
前記圧縮画像にその元の前記ＤＩＣＯＭ医療画像を関連付ける画像特定情報を、当該圧縮画像の前記付帯情報記憶領域に記録する情報記録部と、
前記圧縮画像を記憶する圧縮画像記憶部と、
前記圧縮画像を外部装置に送信する送信部と、を含み、
前記外部装置は、
前記圧縮画像を受信する圧縮画像受信部と、
前記圧縮画像を表示する画像表示部と、
を含むことを特徴とする医療情報処理システム。
【請求項８】
請求項７に記載の医療情報処理システムにおいて、
前記外部装置は、
前記圧縮画像から前記画像特定情報を抽出する抽出部と、
前記抽出部が抽出した前記画像特定情報を含むＤＩＣＯＭ医療画像要求指示を、前記医療情報管理装置に送信する画像要求部と、
前記医療情報管理装置から、前記ＤＩＣＯＭ医療画像を受信するＤＩＣＯＭ医療画像受信部と、
を含み、
前記医療情報管理装置は、
前記ＤＩＣＯＭ医療画像要求指示を受け付ける指示受付部と、
前記ＤＩＣＯＭ医療画像要求指示に含まれる前記画像特定情報に対応する前記ＤＩＣＯＭ医療画像を前記ＤＩＣＯＭ医療画像記憶部から検索する検索部と、
前記検索部が検索した前記ＤＩＣＯＭ医療画像を前記外部装置に送信するＤＩＣＯＭ医療画像送信部と、を含むことを特徴とする医療情報処理システム。
【請求項９】
第１記憶部および第２記憶部を含むコンピュータを、
ＤＩＣＯＭ医療画像を当該画像の医療情報と関連付けて前記第１記憶部に記憶するＤＩＣＯＭ画像記憶手段と、
前記ＤＩＣＯＭ医療画像から、付帯情報記憶領域を含むデータフォーマットを有する圧縮画像に変換する変換手段と、
前記圧縮画像にその元の前記ＤＩＣＯＭ医療画像を関連付ける画像特定情報を、当該圧縮画像の前記付帯情報記憶領域に記録する情報記録手段と、
前記圧縮画像を前記第２記憶部に記憶する圧縮画像記憶手段と、
として機能させるための医療情報管理プログラム。
【請求項１０】
請求項８に記載の医療情報管理プログラムにおいて、
前記コンピュータを、前記圧縮画像を外部装置に送信する送信手段として機能させるための医療情報管理プログラム。
【請求項１１】
コンピュータに、
圧縮画像を、ＤＩＣＯＭ医療画像を含む医療情報を管理する医療情報管理装置から受信する圧縮画像受信手段と、
前記圧縮画像を表示する画像表示手段と、
前記画像表示手段に表示された前記圧縮画像のうち、ユーザが詳細表示指定した圧縮画像を受け付ける受付手段と、
前記受付手段が前記指定を受け付けた前記圧縮画像から画像特定情報を抽出する抽出手段と、
前記抽出手段が抽出した前記画像特定情報を含むＤＩＣＯＭ医療画像要求指示を、前記医療情報管理装置に送信する画像要求手段と、
前記医療情報管理装置から、前記ＤＩＣＯＭ医療画像を受信するＤＩＣＯＭ医療画像受信手段と、
として機能させるための医療情報参照プログラム。
【請求項１２】
ＤＩＣＯＭ医療画像を当該画像の医療情報と関連付けてＤＩＣＯＭ画像記憶部に記憶し、
前記ＤＩＣＯＭ医療画像を圧縮画像に変換し、
前記圧縮画像にその元の前記ＤＩＣＯＭ医療画像を関連付ける画像特定情報を、当該圧縮画像の所定領域に記録し、
前記圧縮画像を圧縮画像記憶部に記憶することを特徴とする医療情報管理方法。
【請求項１３】
画像特定情報が記録された圧縮画像を画像表示部に表示し、
前記画像表示部に表示された前記圧縮画像のうち、ユーザが詳細表示指定した圧縮画像を受け付け、
受け付けた前記圧縮画像から前記画像特定情報を抽出し、
抽出された前記画像特定情報を含むＤＩＣＯＭ医療画像要求指示を、ＤＩＣＯＭ医療画像を含む医療情報を管理する医療情報管理装置に送信し、
前記医療情報管理装置から、前記ＤＩＣＯＭ医療画像を受信することを特徴とする医療情報参照方法。
【請求項１４】
ＤＩＣＯＭ医療画像から生成される圧縮画像データであって、
前記ＤＩＣＯＭ医療画像の画像成分が圧縮形式で記録される画像領域と、
前記ＤＩＣＯＭ医療画像を特定する画像特定情報の格納される画像特定領域と、
を含むことを特徴とする圧縮画像データ。
【請求項１５】
請求項１４に記載の圧縮画像データにおいて、
前記画像特定情報は、前記ＤＩＣＯＭ医療画像の保存先を特定する情報を含むことを特徴とする圧縮画像データ。
【請求項１６】
請求項１４または１５に記載の圧縮画像データにおいて、
前記圧縮形式が、ＪＰＥＧ圧縮形式であることを特徴とする圧縮画像データ。
【請求項１７】
請求項１４乃至１６いずれかに記載の圧縮画像データにおいて、
前記画像特定情報は、患者識別情報、検査識別情報、検査シリーズ識別情報、および画像識別情報の少なくとも一つを含むことを特徴とする圧縮画像データ。
【請求項１８】
ＤＩＣＯＭ医療画像を変換してなる圧縮画像の圧縮画像データであって、
前記圧縮画像データは、画像特定情報マーカ部と、前記画像特定情報マーカ部に続く画像特定情報記録部と、画像データ格納部と、を有し、
前記画像特定情報記録部は、前記圧縮画像にその元の前記ＤＩＣＯＭ医療画像を関連付ける画像特定情報を含み、
ＤＩＣＯＭ医療画像を含む医療情報を記憶する画像記憶部を含む第１コンピュータが、前記ＤＩＣＯＭ医療画像を圧縮画像に変換するとき、前記画像特定情報を前記圧縮画像の前記画像特定情報記録部に記録し、
第２コンピュータが、前記圧縮画像を画像表示部に表示し、その元のＤＩＣＯＭ医療画像の取得の指示を受け付けたとき、前記圧縮画像の前記画像特定情報記録部にアクセスし、前記画像特定情報を抽出し、前記第１コンピュータに前記画像特定情報を送信し、
前記第１コンピュータが、前記第２コンピュータから送信された前記画像特定情報に対応するＤＩＣＯＭ医療画像を前記画像記憶部から検索し、前記第２のコンピュータに送信することを特徴とする圧縮画像データ。
【発明の詳細な説明】
【技術分野】
【０００１】
本発明は、医療情報処理システムに関し、特に、圧縮された医療画像情報を管理する医療情報処理システムに関する。
【背景技術】
【０００２】
従来の医療用画像表示装置としては、例えば特許文献１に記載されたものがある。同文献に記載された医療用画像表示装置は、検査装置からの医用画像を領域毎に圧縮率を設定し、圧縮率に応じて医用画像の領域毎に画像データを圧縮し、圧縮された各領域の医用画像を一の医用画像ファイルとして外部記憶装置に記憶し、記憶された画像ファイルを読み出してディスプレイに表示する構成を有する。これにより、要部の画像は詳細なまま医用画像として質を低下させないで効率よく高圧縮して保存することができる。
【０００３】
また、特許文献２に記載された医用画像通信管理システムは、各種医療機器からの画像データを取り込んでデジタルカラー画像データに変換し、デジタルカラー画像データからＪＰＥＧ圧縮画像データを生成するとともに、予め入力されている患者情報検査予約データと統合することにより生データＤＩＣＯＭを生成し、ＪＰＥＧ圧縮画像データおよび患者情報検査予約データからＪＰＥＧ  ＤＩＣＯＭを生成する構成を有する。
【特許文献１】特開平８−２２１５５７号公報
【特許文献１】特開２０００−３０６０１８号公報
【発明の開示】
【発明が解決しようとする課題】
【０００４】
しかしながら、上記文献記載の従来技術は、以下の点で改善の余地を有していた。
たとえば、ＤＩＣＯＭ（Digital Imaging and COmmunications in Medicine）規格に準拠したＤＩＣＯＭ医療画像を圧縮して生成されたＪＰＥＧ画像と、その元画像のＤＩＣＯＭ医療画像は、個別に保存されているため、ＪＰＥＧ画像に対応する元画像を探すのは、困難であった。
【０００５】
ところで、ＤＩＣＯＭ医療画像を特定する場合、必要となる属性情報としては、たとえば、患者ＩＤ、検査インスタンスＵＩＤ、シリーズインスタンスＵＩＤ、画像インスタンスＵＩＤなどが含まれる。これらは、ＤＩＣＯＭ規格に準拠した所定のコードで記載することができるので、たとえば、圧縮された画像の管理方法として、フォルダ名やファイル名にこのＤＩＣＯＭ医療画像の属性情報を付けて、画像と医療情報とを関連付ける手法がある。しかしながら、たとえば、汎用のパーソナルコンピュータなどで一般的に用いられるWindows（登録商標）などのオペレーティングシステムでは、ファイル名やフォルダ名の長さに制限があり、全ての情報を含ませることはできなかった。
【０００６】
本発明は上記事情に鑑みてなされたものであり、その目的とするところは、医療用画像の取扱いを容易にする医療情報管理装置を提供することにある。
【課題を解決するための手段】
【０００７】
本発明によれば、ＤＩＣＯＭ医療画像を当該画像の医療情報と関連付けて記憶するＤＩＣＯＭ画像記憶部と、
前記ＤＩＣＯＭ医療画像から、付帯情報記憶領域を含むデータフォーマットを有する圧縮画像に変換する変換部と、
前記圧縮画像にその元の前記ＤＩＣＯＭ医療画像を関連付ける画像特定情報を、当該圧縮画像の前記付帯情報記憶領域に記録する情報記録部と、
前記圧縮画像を記憶する圧縮画像記憶部と、
を備えたことを特徴とする医療情報管理装置が提供される。
【０００８】
ここで、ＤＩＣＯＭ医療画像は、医療現場において、検査で、ＣＴ（Computerized Tomography）装置、ＭＲ(Magnetic Resonance)装置、ＣＲ（Computed Radiography）装置などのモダリティ装置を用いて患者を撮影して得られたＤＩＣＯＭ規格に準拠した医療用の画像データのファイルであり、たとえば、ビットマップ形式の生画像データファイル、あるいは、ＪＰＥＧ形式などの圧縮画像（可逆または不可逆）データファイルを含むことができる。
【０００９】
また、圧縮画像とは、ＤＩＣＯＭ医療画像が上記の圧縮画像である場合は、一旦、生データファイルに伸張された後、所定のＪＰＥＧ形式などで圧縮された画像であり、特に、汎用コンピュータから参照可能な形式で再圧縮された画像である。
【００１０】
この発明によれば、圧縮画像にＤＩＣＯＭ医療画像を関連付ける情報を圧縮画像の付帯情報記憶領域に記録することができるので、ＪＰＥＧ画像などの圧縮画像をＤＩＣＯＭ医療画像と個別に保管していても、圧縮画像のみからＤＩＣＯＭ医療画像を特定することが可能となる。これにより、圧縮画像の元のＤＩＣＯＭ医療画像との関連付けは確保しつつ、ＤＩＣＯＭ医療画像より容量が非常に小さく取扱いが容易な圧縮画像をＤＩＣＯＭ医療画像とは別に保管して取り扱うことができる。
【００１１】
したがって、ＤＩＣＯＭ医療画像のような大きな容量の画像を取り扱うのが困難な小規模なシステムにおいても、医療情報との関連性を保ちつつ、取扱いが容易な容量の小さい圧縮画像を用いることができるので、利便性が向上するとともに、大規模な設備が不要であり、コスト削減も図れる。これにより、大規模な医療機関でなくとも、開業医医療施設などにおいても、システムの導入がし易くなる。
【００１２】
上記医療情報管理装置において、前記画像特定情報は、患者識別情報、検査識別情報、検査シリーズ識別情報、および画像識別情報の少なくとも一つを含むことができる。
【００１３】
ここで、画像特定情報とは、たとえば、患者ＩＤ、検査インスタンスＵＩＤ、シリーズインスタンスＵＩＤ、画像インスタンスＵＩＤなどを含むことができ、これらの情報は、圧縮画像とその元画像のＤＩＣＯＭ医療画像とを関連付ける情報を含む。
【００１４】
上記医療情報管理装置において、前記圧縮画像の前記データフォーマットはＪＰＥＧ形式であり、前記圧縮画像の前記データフォーマットの前記付帯情報記憶領域は、前記ＪＰＥＧ形式のデータフォーマットのユーザ領域である所定のセグメントであり、前記医療情報管理装置は、前記セグメントを検出する検出部を含むことができ、前記情報記録部は、前記検出された前記セグメントに、前記画像特定情報を記録することができる。
【００１５】
ここで、圧縮画像は、ＪＰＥＧ規格の画像圧縮データであり、付帯情報記憶領域は、そのユーザ領域である所定のセグメントに記述することができる。所定のセグメントとは、たとえば、ＪＰＥＧ形式のデータフォーマットにおいて、マーカ（ＦＦＦＥ）で示されるコメントセグメントや、ＡＰＰセグメント（マーカ：ＦＦＥ０〜ＦＦＥＦ）、あるいは、リザーブセグメント（マーカ：ＦＦＦ０〜ＦＦＦＤ）などとすることができる。検出部は、セグメントのマーカを検出することにより、該当するセグメントを検出することができる。
【００１６】
画像特定情報は、そのデータ長が長いため、汎用のパーソナルコンピュータなどで使用されるWindows（登録商標）などのオペレーティングシステムでは、ファイル名などに含むのが困難な情報であるが、これらをＪＰＥＧ画像の所定のセグメントに記載することにより、簡易にＪＰＥＧ画像に画像特定情報を持たせることができる。
【００１７】
上記医療情報管理装置において、前記セグメントは、前記ＪＰＥＧ形式の前記データフォーマットのコメントセグメントとすることができ、前記検出部は、前記コメントセグメントを検出し、前記情報記録部は、前記検出された前記コメントセグメントに、前記画像特定情報を記録することができる。
【００１８】
この構成によれば、ＪＰＥＧ形式の圧縮画像を編集し、ファイルを更新したとき、自動的にコメントセグメント内の画像特定情報が消去されるので、圧縮画像が更新されたときに、ＤＩＣＯＭ医療画像との関連付けが自動的に解除されることとなるので、運用上からも圧縮画像の信頼性を確保することができる。
【００１９】
上記医療情報管理装置において、前記圧縮画像を外部装置に送信する送信部を含むことができる。
【００２０】
本発明によれば、ＤＩＣＯＭ医療画像を含む医療情報を管理する医療情報管理装置に接続され、前記医療情報を参照する医療情報参照装置であって、
圧縮画像を前記医療情報管理装置から受信する圧縮画像受信部と、
前記圧縮画像を表示する画像表示部と、
前記画像表示部に表示された前記圧縮画像のうち、ユーザが詳細表示指定した圧縮画像を受け付ける受付部と、
前記受付部が受け付けた前記圧縮画像から画像特定情報を抽出する抽出部と、
前記抽出部が抽出した前記画像特定情報を含むＤＩＣＯＭ医療画像要求指示を、前記医療情報管理装置に送信する画像要求部と、
前記医療情報管理装置から、前記ＤＩＣＯＭ医療画像を受信するＤＩＣＯＭ医療画像受信部と、
を備えたことを特徴とする医療情報参照装置が提供される。
【００２１】
本発明によれば、ＤＩＣＯＭ医療画像を含む医療情報を管理する医療情報管理装置と、
前記医療情報管理装置に接続され、前記医療情報を参照する外部装置と、を備えた医療情報処理システムにおいて、
前記医療情報管理装置は、
ＤＩＣＯＭ医療画像を当該画像の医療情報と関連付けて記憶するＤＩＣＯＭ画像記憶部と、
前記ＤＩＣＯＭ医療画像から、付帯情報記憶領域を含むデータフォーマットを有する圧縮画像に変換する変換部と、
前記圧縮画像にその元の前記ＤＩＣＯＭ医療画像を関連付ける画像特定情報を、当該圧縮画像の前記付帯情報記憶領域に記録する情報記録部と、
前記圧縮画像を記憶する圧縮画像記憶部と、
前記圧縮画像を外部装置に送信する送信部と、を含み、
前記外部装置は、
前記圧縮画像を受信する圧縮画像受信部と、
前記圧縮画像を表示する画像表示部と、
を含むことを特徴とする医療情報処理システムが提供される。
【００２２】
この発明によれば、小規模な構成の装置でも取扱いが容易な圧縮画像からその元となる詳細な画像であるＤＩＣＯＭ画像を逆引きすることが圧縮画像のみの情報で可能となるので、利便性が向上する。
【００２３】
上記医療情報処理システムにおいて、前記外部装置は、前記圧縮画像から前記画像特定情報を抽出する抽出部と、前記抽出部が抽出した前記画像特定情報を含むＤＩＣＯＭ医療画像要求指示を、前記医療情報管理装置に送信する画像要求部と、前記医療情報管理装置から、前記ＤＩＣＯＭ医療画像を受信するＤＩＣＯＭ医療画像受信部と、を含むことができ、前記医療情報管理装置は、前記ＤＩＣＯＭ医療画像要求指示を受け付ける指示受付部と、前記ＤＩＣＯＭ医療画像要求指示に含まれる前記画像特定情報に対応する前記ＤＩＣＯＭ医療画像を前記ＤＩＣＯＭ医療画像記憶部から検索する検索部と、前記検索部が検索した前記ＤＩＣＯＭ医療画像を前記外部装置に送信するＤＩＣＯＭ医療画像送信部と、を含むことができる。
【００２４】
本発明によれば、第１記憶部および第２記憶部を含むコンピュータを、
ＤＩＣＯＭ医療画像を当該画像の医療情報と関連付けて前記第１記憶部に記憶するＤＩＣＯＭ画像記憶手段と、
前記ＤＩＣＯＭ医療画像から、付帯情報記憶領域を含むデータフォーマットを有する圧縮画像に変換する変換手段と、
前記圧縮画像にその元の前記ＤＩＣＯＭ医療画像を関連付ける画像特定情報を、当該圧縮画像の前記付帯情報記憶領域に記録する情報記録手段と、
前記圧縮画像を前記第２記憶部に記憶する圧縮画像記憶手段と、
として機能させるための医療情報管理プログラムが提供される。
【００２５】
上記医療情報管理プログラムにおいて、前記コンピュータを、前記圧縮画像を外部装置に送信する送信手段として機能させることができる。
【００２６】
本発明によれば、コンピュータに、
圧縮画像を、ＤＩＣＯＭ医療画像を含む医療情報を管理する医療情報管理装置から受信する圧縮画像受信手段と、
前記圧縮画像を表示する画像表示手段と、
前記画像表示手段に表示された前記圧縮画像のうち、ユーザが詳細表示指定した圧縮画像を受け付ける受付手段と、
前記受付手段が前記指定を受け付けた前記圧縮画像から画像特定情報を抽出する抽出手段と、
前記抽出手段が抽出した前記画像特定情報を含むＤＩＣＯＭ医療画像要求指示を、前記医療情報管理装置に送信する画像要求手段と、
前記医療情報管理装置から、前記ＤＩＣＯＭ医療画像を受信するＤＩＣＯＭ医療画像受信手段と、
として機能させるための医療情報参照プログラムが提供される。
【００２７】
本発明によれば、ＤＩＣＯＭ医療画像を当該画像の医療情報と関連付けてＤＩＣＯＭ画像記憶部に記憶し、
前記ＤＩＣＯＭ医療画像を圧縮画像に変換し、
前記圧縮画像にその元の前記ＤＩＣＯＭ医療画像を関連付ける画像特定情報を、当該圧縮画像の所定領域に記録し、
前記圧縮画像を圧縮画像記憶部に記憶することを特徴とする医療情報管理方法が提供される。
【００２８】
本発明によれば、画像特定情報が記録された圧縮画像を画像表示部に表示し、
前記画像表示部に表示された前記圧縮画像のうち、ユーザが詳細表示指定した圧縮画像を受け付け、
受け付けた前記圧縮画像から前記画像特定情報を抽出し、
抽出された前記画像特定情報を含むＤＩＣＯＭ医療画像要求指示を、ＤＩＣＯＭ医療画像を含む医療情報を管理する医療情報管理装置に送信し、
前記医療情報管理装置から、前記ＤＩＣＯＭ医療画像を受信することを特徴とする医療情報参照方法が提供される。
【００２９】
本発明によれば、ＤＩＣＯＭ医療画像から生成される圧縮画像データであって、
前記ＤＩＣＯＭ医療画像の画像成分が圧縮形式で記録される画像領域と、
前記ＤＩＣＯＭ医療画像を特定する画像特定情報の格納される画像特定領域と、
を含むことを特徴とする圧縮画像データが提供される。
【００３０】
上記圧縮画像データにおいて、前記画像特定情報は、前記ＤＩＣＯＭ医療画像の保存先を特定する情報を含むことができる。上記圧縮画像データにおいて、前記圧縮形式が、ＪＰＥＧ圧縮形式とすることができる。また、上記圧縮画像データにおいて、前記画像特定情報は、患者識別情報、検査識別情報、検査シリーズ識別情報、および画像識別情報の少なくとも一つを含むことができる。
【００３１】
本発明によれば、ＤＩＣＯＭ医療画像を変換してなる圧縮画像の圧縮画像データであって、
前記圧縮画像データは、画像特定情報マーカ部と、前記画像特定情報マーカ部に続く画像特定情報記録部と、画像データ格納部と、を有し、
前記画像特定情報記録部は、前記圧縮画像にその元の前記ＤＩＣＯＭ医療画像を関連付ける画像特定情報を含み、
ＤＩＣＯＭ医療画像を含む医療情報を記憶する画像記憶部を含む第１コンピュータが、前記ＤＩＣＯＭ医療画像を圧縮画像に変換するとき、前記画像特定情報を前記圧縮画像の前記画像特定情報記録部に記録し、
第２コンピュータが、前記圧縮画像を画像表示部に表示し、その元のＤＩＣＯＭ医療画像の取得の指示を受け付けたとき、前記圧縮画像の前記画像特定情報記録部にアクセスし、前記画像特定情報を抽出し、前記第１コンピュータに前記画像特定情報を送信し、
前記第１コンピュータが、前記第２コンピュータから送信された前記画像特定情報に対応するＤＩＣＯＭ医療画像を前記画像記憶部から検索し、前記第２のコンピュータに送信することを特徴とする圧縮画像データが提供される。
【００３２】
なお、以上の構成要素の任意の組合せ、本発明の表現を方法、装置、システム、記録媒体、コンピュータプログラムなどの間で変換したものもまた、本発明の態様として有効である。
【発明の効果】
【００３３】
本発明によれば、医療用画像の取扱いを容易にする医療情報管理装置が提供される。
【発明を実施するための最良の形態】
【００３４】
以下、本発明の実施の形態について、図面を用いて説明する。尚、すべての図面において、同様な構成要素には同様の符号を付し、適宜説明を省略する。
【００３５】
（第一の実施の形態）
図１は、本発明の実施の形態に係る医療情報処理システムの構成を示す機能ブロック図である。図１に示すように、本実施形態の医療情報処理システムは、ＤＩＣＯＭ医療画像を当該画像の医療情報と関連付けて記憶するＤＩＣＯＭ画像記憶部（ＤＩＣＯＭ画像記憶部１２０）と、ＤＩＣＯＭ医療画像から、付帯情報記憶領域を含むデータフォーマットを有する圧縮画像に変換する変換部（ＪＰＥＧ画像生成部１３０）と、圧縮画像にその元のＤＩＣＯＭ医療画像を関連付ける画像特定情報を、当該圧縮画像の付帯情報記憶領域に記録する情報記録部（ＪＰＥＧ画像生成部１３０）と、圧縮画像を記憶する圧縮画像記憶部（ＪＰＥＧ画像記憶部１５０）と、を備える。
【００３６】
ＤＩＣＯＭ医療画像とは、たとえば、医療現場において、検査で、ＣＴ装置、ＭＲ装置、ＣＲ装置などのモダリティ装置３（図中、「モダリティ」と示す）を用いて患者を撮影して得られたＤＩＣＯＭ規格に準拠した医療用の画像データのファイルであり、たとえば、ビットマップ形式の生画像データファイル、あるいは、ＪＰＥＧ形式などの圧縮画像（可逆または不可逆）データファイルを含むことができる。
【００３７】
また、圧縮画像とは、ＤＩＣＯＭ医療画像が上記の圧縮画像である場合は、一旦、生データファイルに伸張された後、所定のＪＰＥＧ形式などで圧縮された画像であり、特に、汎用コンピュータから参照可能な形式で再圧縮された画像である。
【００３８】
医療情報とは、たとえば、ＤＩＣＯＭ医療画像が撮影された患者の識別番号である患者ＩＤ、患者名、患者の性別、患者の生年月日、および年齢などの複数の属性を含む。さらに、医療情報は、ＤＩＣＯＭ医療画像が撮影された検査の日付、時刻、検査の受付番号、検査ＩＤ、および検査インスタンスＵＩＤなどのＤＩＣＯＭ規格に準拠した属性情報である。
【００３９】
本実施形態の医療情報処理システムにおいて、医療情報管理装置１００は、サーバ機能、およびルータ機能を有し、少なくとも一つのモダリティ装置３に第１ネットワーク１を介して接続され、例えばＤＩＣＯＭに基づいた通信を行い必要な情報を互いに送受信し、医療画像および医療情報を管理する。なお、図１において、本発明の本質に関わらない部分の構成については省略してあり、たとえば、コンピュータの構成である操作部や表示部などは図示されていない。
【００４０】
また、医療情報処理システムの各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００４１】
本実施形態において、医療情報管理装置１００は、インタフェース部１０２（図中、「Ｉ／Ｆ」と示す）と、ＤＩＣＯＭ画像受信部１０４と、登録部１０６と、医療情報記憶部１１０（図中、「医療情報」と示す）と、ＤＩＣＯＭ画像記憶部１２０（図中、「ＤＩＣＯＭ画像」と示す）と、ＪＰＥＧ画像生成部１３０と、ＪＰＥＧ画像記憶部１５０（図中、「ＪＰＥＧ画像」と示す）と、ＪＰＥＧ画像送信部１６０と、インタフェース部１６２（図中、「Ｉ／Ｆ」と示す）と、を含む。
【００４２】
インタフェース部１０２は、第１ネットワーク１を介して複数のモダリティ装置３と通信するためのインタフェースである。ＤＩＣＯＭ画像受信部１０４は、モダリティ装置３から医療情報およびＤＩＣＯＭ医療画像を受信する。登録部１０６は、ＤＩＣＯＭ画像受信部１０４が受信したＤＩＣＯＭ医療画像を医療情報に関連付けて、医療情報記憶部１１０に医療情報を、ＤＩＣＯＭ画像記憶部１２０に受信しＤＩＣＯＭ医療画像をＤＩＣＯＭ画像記憶部１２０に格納する。
【００４３】
なお、本実施形態において、ＤＩＣＯＭ画像記憶部１２０は、医療情報管理装置１００に含む構成としたが、ＤＩＣＯＭ画像記憶部１２０は、医療情報管理装置１００にネットワークを介して接続されたサーバ内に設けることもできる。たとえば、ＤＩＣＯＭ画像記憶部１２０は、たとえば、ＮＡＳ（Network Attached Storage）、ＳＡＮ（Storage Area Network）などの一般的なストレージ装置とすることができ、ハードディスクなどの記録媒体にモダリティ装置３から転送された保存用画像ファイルを格納することができる。
【００４４】
ＪＰＥＧ画像生成部１３０は、ＤＩＣＯＭ画像受信部１０４が受信したＤＩＣＯＭ医療画像を圧縮画像、本実施形態では、ＪＰＥＧ形式の圧縮画像に変換し、ＪＰＥＧ画像記憶部１５０に格納する。なお、ＪＰＥＧ画像生成部１３０の詳細については、後述する。
【００４５】
ＪＰＥＧ画像送信部１６０は、ＪＰＥＧ画像生成部１３０が生成したＪＰＥＧ画像を医療画像管理装置２００に送信する。インタフェース部１６２は、医療情報管理装置１００と第２ネットワーク５を介して接続される医療画像管理装置２００と通信するためのインタフェースである。なお、図１において、第１ネットワーク１および第２ネットワーク５は、別のネットワークとしたが、同じネットワークであってもよい。
【００４６】
医療画像管理装置２００は、インタフェース部２０２（図中、「Ｉ／Ｆ」と示す）と、ＪＰＥＧ画像受信部２０４と、ＪＰＥＧ画像記憶部２１０（図中、「ＪＰＥＧ画像」と示す）と、を含む。インタフェース部２０２は、第２ネットワーク５を介して医療情報管理装置１００と通信するためのインタフェースである。ＪＰＥＧ画像受信部２０４は、インタフェース部２０２を介して医療情報管理装置１００からＪＰＥＧ画像を受信し、ＪＰＥＧ画像記憶部２１０に記憶する。
【００４７】
図２は、図１のＪＰＥＧ画像生成部１３０の詳細を示す機能ブロック図である。ＪＰＥＧ画像生成部１３０は、変換部１３２と、ＪＰＥＧ変換作業エリア１３４と、位置検出部１３６と、情報取得部１３８と、記録部１４０と、保存部１４２と、を含む。
【００４８】
変換部１３２は、ＤＩＣＯＭ画像受信部１０４が受信したＤＩＣＯＭ医療画像をＤＩＣＯＭ画像記憶部１２０から読み出し、ＪＰＥＧ画像に圧縮変換し、ＪＰＥＧ変換作業エリア１３４に格納する。ＪＰＥＧ変換作業エリア１３４は、変換部１３２、位置検出部１３６および記録部１４０が生成作業中のＪＰＥＧ画像を、一時的に格納する。
【００４９】
ここで、図３を用いて、本実施形態の圧縮画像データであるＪＰＥＧ画像ファイル５０のフォーマットについて説明する。本発明の実施形態の圧縮画像データは、ＤＩＣＯＭ医療画像から生成される圧縮画像データ（ＪＰＥＧ画像ファイル５０）であって、ＤＩＣＯＭ医療画像の画像成分が圧縮形式で記録される画像領域（イメージデータ８０）と、ＤＩＣＯＭ医療画像を特定する画像特定情報の格納される画像特定領域（コメントセグメント６０）と、を含む。
【００５０】
詳細には、図３に示すように、本実施形態において、画像の圧縮形式はＪＰＥＧ圧縮形式であり、ＪＰＥＧ画像ファイル５０は、ＳＯＩ（Start Of Image）５２と、各種の画像情報が含まれる複数のセグメント５４（図中、「セグメントａ」、「セグメントｂ」、・・・と示す）と、テキスト情報が記載可能なユーザ領域であるコメントセグメント６０と、イメージデータ８０と、ＥＯＩ（End Of Image）８２と、を含む。
【００５１】
さらに、コメントセグメント６０は、テキスト情報を記載可能なユーザ領域であり、図４に示すような構造を有する。本実施形態において、コメントセグメント６０は、コメントマーカ６２と、レングス６４と、患者ＩＤ６６と、検査インスタンスＵＩＤ６８と、シリーズインスタンスＵＩＤ７０と、画像インスタンスＵＩＤ７２（以後、「ＳＯＰインスタンスＵＩＤ」と呼ぶ）と、を含むことができる。
【００５２】
なお、コメントセグメント６０は、ＪＰＥＧ画像ファイル５０が書き換えると自動的に消去される。したがって、ＪＰＥＧ画像ファイル５０に何らかの編集を行い、書き換えられた場合には、コメントセグメント６０に記載されたＤＩＣＯＭ医療画像と関連付けるための画像特定情報も消去されることとなる。なお、ＪＰＥＧ画像ファイル５０が書き換えられた場合に、ＤＩＣＯＭ医療画像との関連付けが自動的に解除されることは、運用上からもＪＰＥＧ画像ファイル５０の信頼性を確保することができるので重要である。
【００５３】
ここで、コメントマーカ６２は、０ｘＦＦ  ０ｘＦＥで示される。レングス６４は、コメントセグメント６０の長さを示す。患者ＩＤ６６、検査インスタンスＵＩＤ６８、シリーズインスタンスＵＩＤ７０、およびＳＯＰインスタンスＵＩＤ７２には、ＤＩＣＯＭ規格に準拠した属性情報が含まれ、図３のイメージデータ８０が、どの患者の何時の何の検査の何枚目のどの部位の画像かなどの情報を特定するために必要な画像特定情報が含まれる。この画像特定情報により、ＤＩＣＯＭ医療画像を圧縮変換して得られたＪＰＥＧ画像ファイル５０に関連付けることができる。
【００５４】
たとえば、検査インスタンスＵＩＤ６８は、「1.2.392.200036.9116.2.2.2.1762450321.1002844441.278009」などの属性情報によって、患者、検査日付、検査項目を特定することができる。また、シリーズインスタンスＵＩＤ７０は、「1.2.392.200036.9116.2.2.2.1762450321.10002844719.725417」などの属性情報によって、患者、検査日付、検査項目、複数シリーズを含む検査のシリーズを特定することができる。また、ＳＯＰインスタンスＵＩＤ７２は、「1.2.392.200036.9116.2.2.2.1762450321.1002844719.728453」などの属性情報によって、上記シリーズインスタンスＵＩＤで特定されたシリーズの画像を特定することができる。
【００５５】
上述のように、各属性情報によって患者を特定することは可能なので、コメントセグメント６０において患者ＩＤ６６は必ずしも必要ではないが、患者のみを指定してすべての画像を取得したい場合などには、患者ＩＤ６６をキーとして効率よく検索することができる。
【００５６】
図２に戻り、位置検出部１３６は、図３のＪＰＥＧ画像ファイル５０のコメントセグメント６０の位置、すなわち図４のコメントセグメント６０のコメントマーカ６２（０ｘＦＦ  ０ｘＦＥ）を検出する。情報取得部１３８は、ＤＩＣＯＭ画像受信部１０４が受信したＤＩＣＯＭ医療画像に対応する医療情報を、医療情報記憶部１１０から取得する。ここで取得する医療情報は、患者ＩＤ６６、検査インスタンスＵＩＤ６８、シリーズインスタンスＵＩＤ７０およびＳＯＰインスタンスＵＩＤ７２を含むことができる。
【００５７】
記録部１４０は、位置検出部１３６が検知したコメントセグメント６０に図４に示した患者ＩＤ６６、検査インスタンスＵＩＤ６８、シリーズインスタンスＵＩＤ７０およびＳＯＰインスタンスＵＩＤ７２を記録する。保存部１４２は、記録部１４０によってコメントセグメント６０に情報が記録されたＪＰＥＧ画像ファイル５０を閉じてＪＰＥＧ画像記憶部１５０に格納するとともに、ＪＰＥＧ画像送信部１６０に通知する。
【００５８】
本発明の実施形態において、ＤＩＣＯＭ医療画像を変換してなる圧縮画像（ＪＰＥＧ画像ファイル５０）の圧縮画像データであって、圧縮画像データは、画像特定情報マーカ部コメントマーカ６２）と、画像特定情報マーカ部に続く画像特定情報記録部（患者ＩＤ６６、検査インスタンスＵＩＤ６８、シリーズインスタンスＵＩＤ７０、およびＳＯＰインスタンスＵＩＤ７２）と、画像データ格納部（イメージデータ８０）と、を有し、画像特定情報記録部は、圧縮画像にその元のＤＩＣＯＭ医療画像を関連付ける画像特定情報を含み、ＤＩＣＯＭ医療画像を含む医療情報を記憶する画像記憶部（医療情報記憶部１１０およびＤＩＣＯＭ画像記憶部１２０）を含む第１コンピュータ（医療情報管理装置１００）が、ＤＩＣＯＭ医療画像を圧縮画像に変換するとき、画像特定情報を圧縮画像の画像特定情報記録部に記録し、第２コンピュータ（画像参照装置３００）が、圧縮画像を画像表示部（表示部３２０）に表示し、その元のＤＩＣＯＭ医療画像の取得の指示を受け付けたとき、圧縮画像の画像特定情報記録部にアクセスし、画像特定情報を抽出し、第１コンピュータに画像特定情報を送信し、第１コンピュータが、第２コンピュータから送信された画像特定情報に対応するＤＩＣＯＭ医療画像を画像記憶部から検索し、第２のコンピュータに送信する。
【００５９】
このように構成された医療情報処理システムの動作について、以下に説明する。図５は、本実施形態の医療情報処理システムのＤＩＣＯＭ医療画像からＪＰＥＧ画像への変換時の動作の一例を示すフローチャートである。以下、図１乃至図５を用いて説明する。
【００６０】
本発明の実施の形態の医療情報システムにおける医療情報管理方法は、ＤＩＣＯＭ医療画像を当該画像の医療情報と関連付けてＤＩＣＯＭ画像記憶部に記憶し（ステップＳ２３）、ＤＩＣＯＭ医療画像を圧縮画像に変換し（ステップＳ２５）、圧縮画像にその元のＤＩＣＯＭ医療画像を関連付ける画像特定情報を、当該圧縮画像の所定領域に記録し（ステップＳ２７〜ステップＳ３１）、圧縮画像を圧縮画像記憶部に記憶する（ステップＳ３３）。
【００６１】
詳細には、まず、図１の第１ネットワーク１上のモダリティ装置３からＤＩＣＯＭ医療画像および医療情報が医療情報管理装置１００に送信される（ステップＳ１１）。つづいて、医療情報管理装置１００において、インタフェース部１０２を介してモダリティ装置３からＤＩＣＯＭ医療画像および医療情報をＤＩＣＯＭ画像受信部１０４が受信する（ステップＳ２１）。
【００６２】
つづいて、登録部１０６がステップＳ２１で受信した医療情報を医療情報記憶部１１０にＤＩＣＯＭ医療画像と関連付けて登録し、ＤＩＣＯＭ画像記憶部１２０にＤＩＣＯＭ医療画像を保存する（ステップＳ２３）。つづいて、ＪＰＥＧ画像生成部１３０が、ＤＩＣＯＭ医療画像をＪＰＥＧ画像に変換する。
【００６３】
まず、図２の変換部１３２がＤＩＣＯＭ医療画像を圧縮してＪＰＥＧ画像に変換する（ステップＳ２５）。変換されたＪＰＥＧ画像ファイル５０は、ＪＰＥＧ変換作業エリア１３４に一時的に格納される。そして、位置検出部１３６が図３のＪＰＥＧ画像ファイル５０のコメントセグメント６０の位置、すなわち図４のコメントセグメント６０のコメントマーカ６２（０ｘＦＦ  ０ｘＦＥ）を検出する（ステップＳ２７）。そして、情報取得部１３８が、ＤＩＣＯＭ画像受信部１０４が受信したＤＩＣＯＭ医療画像に対応する医療情報を医療情報記憶部１１０から取得する（ステップＳ２９）。ここでは、患者ＩＤ６６と、検査インスタンスＵＩＤ６８と、シリーズインスタンスＵＩＤ７０と、ＳＯＰインスタンスＵＩＤ７２と、が取得される。
【００６４】
そして、記録部１４０が、ステップＳ２９で取得した医療情報を図４に示すように、コメントセグメント６０の各セグメントにそれぞれ記録する（ステップＳ３１）。つづいて、保存部１４２がＪＰＥＧ変換作業エリア１３４のＪＰＥＧ画像ファイル５０として閉じてＪＰＥＧ画像記憶部１５０に格納する（ステップＳ３３）。つづいて、ＪＰＥＧ画像送信部１６０が、ＪＰＥＧ画像記憶部１５０に格納されたＪＰＥＧ画像ファイル５０を第２ネットワーク５上の医療画像管理装置２００にインタフェース部１６２を介して送信する（ステップＳ３５）。
【００６５】
ステップＳ３５で送信されたＪＰＥＧ画像ファイル５０は、医療画像管理装置２００において、インタフェース部２０２を介してＪＰＥＧ画像受信部２０４により受信される（ステップＳ４１）。つづいて、ＪＰＥＧ画像受信部２０４がＪＰＥＧ画像記憶部２１０にステップＳ４１で受信したＪＰＥＧ画像ファイル５０を格納する（ステップＳ４３）。
【００６６】
以上説明したように、本実施形態の医療情報処理システムによれば、ＪＰＥＧ画像にＤＩＣＯＭ医療画像を関連付ける画像特定情報をＪＰＥＧ画像のコメントセグメント６０に記録することができるので、ＪＰＥＧ画像をＤＩＣＯＭ医療画像と個別に保管していても、ＪＰＥＧ画像のみからＤＩＣＯＭ医療画像を特定することが可能となる。これにより、ＪＰＥＧ画像の元のＤＩＣＯＭ医療画像との関連付けを確保しつつ、ＤＩＣＯＭ医療画像より容量が非常に小さく取扱いが容易なＪＰＥＧ画像をＤＩＣＯＭ医療画像とは別に保管して取り扱うことができる。
【００６７】
従来、ＤＩＣＯＭ規格に準拠したＤＩＣＯＭ医療画像を圧縮して生成された画像と、その元画像のＤＩＣＯＭ医療画像との関連付けをするためには、別途データベースやテーブルなどによる画像と医療情報とを関連付けるシステムが必要であった。また、元来、圧縮された画像のみからＤＩＣＯＭ医療画像を呼び出すという発想はなかったが、上述したように、本発明によれば、ＪＰＥＧ画像の元画像のＤＩＣＯＭ医療画像とを容易に関連付けることができる。
【００６８】
これにより、ＤＩＣＯＭ医療画像のような大きな容量の画像を取り扱うのが困難な小規模なシステムにおいても、医療情報との関連性を保ちつつ、取扱いが容易な容量の小さいＪＰＥＧ画像を用いることができるので、利便性が向上するとともに、大規模な設備が不要であり、コスト削減も図れる。これにより、大規模な医療機関でなくとも、開業医医療施設などにおいても、システムの導入がし易くなる。
【００６９】
（第二の実施の形態）
図６は、本発明の実施の形態に係る医療情報処理システムの構成を示す機能ブロック図である。図６に示すように、ＤＩＣＯＭ医療画像を含む医療情報を管理する医療情報管理装置（医療情報管理装置１００）と、医療情報管理装置に接続され、医療情報を参照する外部装置（画像参照装置３００）と、を備えた医療情報処理システムにおいて、医療情報管理装置は、上記実施形態と同様な構成要素に加えて、圧縮画像を外部装置に送信する送信部（ＤＩＣＯＭ画像送信部１７６およびインタフェース部１７０）を含み、外部装置は、圧縮画像を受信する圧縮画像受信部（ＪＰＥＧ画像受信部３０８およびインタフェース部３０２）と、圧縮画像を表示する画像表示部（表示制御部３２２および表示部３２０）と、を含む。
【００７０】
また、本実施形態の医療情報処理システムにおいて、外部装置（画像参照装置３００）は、圧縮画像から画像特定情報を抽出する抽出部（抽出部３２６）と、抽出部が抽出した画像特定情報を含むＤＩＣＯＭ医療画像要求指示を、医療情報管理装置に送信する画像要求部（ＤＩＣＯＭ画像要求部３２８およびインタフェース部３３０）と、医療情報管理装置（医療情報管理装置１００）から、ＤＩＣＯＭ医療画像を受信するＤＩＣＯＭ医療画像受信部（ＤＩＣＯＭ画像受信部３３２およびインタフェース部３３０）と、を含み、医療情報管理装置（医療情報管理装置１００）は、ＤＩＣＯＭ医療画像要求指示を受け付ける指示受付部（要求受付部１７２およびインタフェース部１７０）と、ＤＩＣＯＭ医療画像要求指示に含まれる画像特定情報に対応するＤＩＣＯＭ医療画像をＤＩＣＯＭ医療画像記憶部（ＤＩＣＯＭ画像記憶部１２０）から検索する検索部（ＤＩＣＯＭ画像検索部１７４）と、検索部が検索したＤＩＣＯＭ医療画像を外部装置に送信するＤＩＣＯＭ医療画像送信部（ＤＩＣＯＭ画像送信部１７６およびインタフェース部１７０）と、を含む。
【００７１】
本実施形態の医療情報処理システムは、上記実施形態の医療情報処理システムにおいて、ＤＩＣＯＭ医療画像から圧縮変換されて医療画像管理装置２００に格納されたＪＰＥＧ画像を、画像参照装置３００から参照するとともに、必要に応じて、当該ＪＰＥＧ画像の元の詳細なイメージであるＤＩＣＯＭ医療画像を逆引きして画像参照装置３００にて参照するものである。
【００７２】
本実施形態において、医療情報参照装置（画像参照装置３００）は、ＤＩＣＯＭ医療画像を含む医療情報を管理する医療情報管理装置（医療情報管理装置１００）に接続され、医療情報を参照する医療情報参照装置であって、圧縮画像を医療情報管理装置から受信する圧縮画像受信部（ＪＰＥＧ画像受信部３０８およびインタフェース部３０２）と、圧縮画像を表示する画像表示部（表示制御部３２２および表示部３２０）と、画像表示部に表示された圧縮画像のうち、ユーザが詳細表示指定した圧縮画像を受け付ける受付部（詳細表示受付部３２４）と、受付部が受け付けた圧縮画像から画像特定情報を抽出する抽出部（抽出部３２６）と、抽出部が抽出した画像特定情報を含むＤＩＣＯＭ医療画像要求指示を、医療情報管理装置に送信する画像要求部（ＤＩＣＯＭ画像要求部３２８）と、医療情報管理装置から、ＤＩＣＯＭ医療画像を受信するＤＩＣＯＭ医療画像受信部（ＤＩＣＯＭ画像受信部３３２およびインタフェース部３３０）と、を備える。
【００７３】
具体的には、画像参照装置３００は、インタフェース部３０２（図中、「Ｉ／Ｆ」と示す）と、操作部３０４と、ＪＰＥＧ画像指定受付部３０６と、ＪＰＥＧ画像受信部３０８と、ＪＰＥＧ画像記憶部３１０（図中、「ＪＰＥＧ画像」と示す）と、表示部３２０と、表示制御部３２２と、詳細表示受付部３２４と、抽出部３２６と、ＤＩＣＯＭ画像要求部３２８と、インタフェース部３３０（図中、「Ｉ／Ｆ」と示す）と、ＤＩＣＯＭ画像受信部３３２と、ＤＩＣＯＭ画像記憶部３４０（図中、「ＤＩＣＯＭ画像」と示す）と、を含む。
【００７４】
本実施形態において、画像参照装置３００は、たとえば、パーソナルコンピュータやワークステーションなどであり、医療情報管理装置１００から送信されたＪＰＥＧ画像を受信し、蓄積するとともに、参照するものである。
【００７５】
インタフェース部３０２は、第３ネットワーク７上の医療画像管理装置２００と通信を行うためのインタフェースである。操作部３０４は、画像参照装置３００のユーザから各種設定および入力等の指示を受け付けるものであり、たとえば、キーボード、マウス、タブレット、タッチパネル、音声入力および認識手段、操作ボタン、スイッチ、レバーなどである。なお、第３ネットワーク７は、インターネットおよびＬＡＮなどを含む。
【００７６】
ＪＰＥＧ画像指定受付部３０６は、操作部３０４をユーザが操作して指定したＪＰＥＧ画像の指定情報を受け付ける。たとえば、ユーザは、指定情報として、患者ＩＤや検査日時、検査内容などを指定し、参照したいＪＰＥＧ画像を指定することができる。ＪＰＥＧ画像指定受付部３０６は、インタフェース部３０２を介して、受け付けた指定情報を医療画像管理装置２００に送信する。
【００７７】
ＪＰＥＧ画像受信部３０８は、医療画像管理装置２００からインタフェース部３０２を介してＪＰＥＧ画像を受信する。ＪＰＥＧ画像記憶部３１０は、ＪＰＥＧ画像受信部３０８が受信したＪＰＥＧ画像を格納する。表示部３２０は、表示制御部３２２によって制御され、ＪＰＥＧ画像やＤＩＣＯＭ医療画像の表示を行うとともに、各種情報表示、操作画面表示、画像参照装置３００の動作や状態表示などを行う。表示部３２０は、たとえば、ＣＲＴモニタ、液晶ディスプレイ、ランプ、ＬＥＤなどである。表示制御部３２２は、表示部３２０を制御する。
【００７８】
詳細表示受付部３２４は、表示部３２０に表示されたＪＰＥＧ画像やそのサムネイル、ファイル名のリスト、アイコンなどの中からユーザが操作部３０４を操作して指定した詳細表示、すなわちＤＩＣＯＭ医療画像の表示を行う画像を受け付ける。あるいは、ＪＰＥＧ画像の表示は必ずしも行う必要はなく、ＪＰＥＧ画像ファイル５０の特定のみしてもよい。
【００７９】
抽出部３２６は、詳細表示受付部３２４が受け付けた詳細表示するＪＰＥＧ画像ファイル５０からコメントセグメント６０の位置、すなわちコメントセグメント６０のコメントマーカ６２を検出し、コメントセグメント６０にアクセスし、図４に示すコメントセグメント６０から患者ＩＤ６６、検査インスタンスＵＩＤ６８、シリーズインスタンスＵＩＤ７０およびＳＯＰインスタンスＵＩＤ７２の中から少なくとも一つを抽出する。
【００８０】
ここで、たとえば、ある患者のある日付のある検査における全てのＤＩＣＯＭ医療画像が必要な場合は、検査インスタンスＵＩＤ６８を少なくとも抽出すればよい。
【００８１】
ＤＩＣＯＭ画像要求部３２８は、抽出部３２６が抽出した患者ＩＤ６６、検査インスタンスＵＩＤ６８、シリーズインスタンスＵＩＤ７０およびＳＯＰインスタンスＵＩＤ７２の中から少なくとも一つを含むＤＩＣＯＭ医療画像の参照要求をインタフェース部３３０を介して医療情報管理装置１００に行う。インタフェース部３３０は、第４ネットワーク９上の医療情報管理装置１００との通信を行うためのインタフェースである。
【００８２】
また、本実施形態の医療画像管理装置２００は、上記実施形態の医療情報管理装置１００と同様な構成要素に加え、インタフェース部２２０（図中、「Ｉ／Ｆ」と示す）と、指定受付部２２２と、ＪＰＥＧ画像検索部２２４と、ＪＰＥＧ画像送信部２２６と、を含む。なお、医療画像管理装置２００は、インターネット上のウェブサーバとして機能する。
【００８３】
インタフェース部２２０は、第３ネットワーク７上の画像参照装置３００との通信を行うためのインタフェースである。指定受付部２２２は、画像参照装置３００からＪＰＥＧ画像の指定情報を受け付ける。ＪＰＥＧ画像検索部２２４は、指定受付部２２２が受け付けた指定情報に対応するＪＰＥＧ画像ファイル５０をＪＰＥＧ画像記憶部２１０から検索し、ＪＰＥＧ画像送信部２２６に受け渡す。ＪＰＥＧ画像送信部２２６は、ＪＰＥＧ画像検索部２２４が検索したＪＰＥＧ画像ファイル５０をインタフェース部２２０を介して第３ネットワーク７上の画像参照装置３００に送信する。
【００８４】
また、本実施形態の医療情報管理装置１００は、上記実施形態の医療情報管理装置１００と同様な構成要素に加え、インタフェース部１７０（図中、「Ｉ／Ｆ」と示す）と、要求受付部１７２と、ＤＩＣＯＭ画像検索部１７４と、ＤＩＣＯＭ画像送信部１７６と、を含む。
【００８５】
インタフェース部１７０は、第４ネットワーク９上の画像参照装置３００と通信するためのインタフェースである。要求受付部１７２は、第４ネットワーク９上の画像参照装置３００からインタフェース部１７０を介してＤＩＣＯＭ医療画像の参照要求を受け付ける。ここで、画像参照装置３００からの参照要求には、上記実施形態の図４に示されたＪＰＥＧ画像ファイル５０のコメントセグメント６０に格納されている医療情報、すなわち、患者ＩＤ６６、検査インスタンスＵＩＤ６８、シリーズインスタンスＵＩＤ７０、およびＳＯＰインスタンスＵＩＤ７２の中から少なくとも一つが含まれる。
【００８６】
ＤＩＣＯＭ画像検索部１７４は、画像参照装置３００から要求されたＤＩＣＯＭ医療画像をＤＩＣＯＭ画像記憶部１２０から検索する。具体的には、ＤＩＣＯＭ画像検索部１７４は、医療情報記憶部１１０にアクセスし、要求受付部１７２が受け付けた参照要求に含まれる患者ＩＤ６６、検査インスタンスＵＩＤ６８、シリーズインスタンスＵＩＤ７０またはＳＯＰインスタンスＵＩＤ７２に関連付けられたＤＩＣＯＭ医療画像の格納位置を取得し、ＤＩＣＯＭ画像記憶部１２０から読み出し、ＤＩＣＯＭ画像送信部１７６に受け渡す。
【００８７】
ＤＩＣＯＭ画像送信部１７６は、ＤＩＣＯＭ画像検索部１７４が検索したＤＩＣＯＭ医療画像をインタフェース部１７０を介して第４ネットワーク９上の画像参照装置３００に送信する。
【００８８】
このように構成された本実施形態の医療情報処理システムの動作について、以下に説明する。図７は、本実施形態の医療情報処理システムのＪＰＥＧ画像参照時のＤＩＣＯＭ画像逆引き時の動作の一例を示すフローチャートである。以下、図３、図４、図６および図７を用いて説明する。
【００８９】
本発明の実施の形態の医療情報システムにおける医療情報参照方法は、画像特定情報が記録された圧縮画像を画像表示部に表示し（ステップＳ６５）、画像表示部に表示された圧縮画像のうち、ユーザが詳細表示指定した圧縮画像を受け付け（ステップＳ６７）、受け付けた圧縮画像から画像特定情報を抽出し（ステップＳ６９およびステップＳ７１）、抽出された画像特定情報を含むＤＩＣＯＭ医療画像要求指示を、ＤＩＣＯＭ医療画像を含む医療情報を管理する医療情報管理装置に送信し（ステップＳ７３）、医療情報管理装置から、ＤＩＣＯＭ医療画像を受信する（ステップＳ７５）。
【００９０】
詳細には、まず、画像参照装置３００において、ユーザが図６の操作部３０４を操作して指定した参照ＪＰＥＧ画像をＪＰＥＧ画像指定受付部３０６が受け付ける（ステップＳ６１）。ここでは、たとえば、患者ＩＤ、検査日時または期間、検査項目、検査部位、検査シリーズなどが選択され、指定される。
【００９１】
ＪＰＥＧ画像指定受付部３０６からインタフェース部３０２を介して参照ＪＰＥＧ画像の指定情報が第３ネットワーク７上の医療画像管理装置２００に送信され、医療画像管理装置２００において、インタフェース部２２０を介して指定受付部２２２がこの指定情報を受け付ける（ステップＳ５１）。つづいて、ＪＰＥＧ画像検索部２２４が、指定されたＪＰＥＧ画像をＪＰＥＧ画像記憶部２１０から検索し、ＪＰＥＧ画像送信部２２６に受け渡す（ステップＳ５３）。ＪＰＥＧ画像送信部２２６が、ステップＳ５３で検索されたＪＰＥＧ画像を、インタフェース部２２０を介して第３ネットワーク７上の画像参照装置３００に送信する（ステップＳ５５）。
【００９２】
つづいて、画像参照装置３００において、インタフェース部３０２を介して第３ネットワーク７上の医療画像管理装置２００から送信されたＪＰＥＧ画像をＪＰＥＧ画像受信部３０８が受信する（ステップＳ６３）。ＪＰＥＧ画像受信部３０８が受信したＪＰＥＧ画像は、ＪＰＥＧ画像記憶部３１０に格納される。つづいて、表示制御部３２２により表示部３２０上に、ステップＳ６３でＪＰＥＧ画像受信部３０８が受信したＪＰＥＧ画像、あるいはそのサムネイル、ファイル名のリスト、アイコンなどが表示される（ステップＳ６５）。ＪＰＥＧ画像やそのサムネイル、ファイル名のリスト、アイコンなどから、ユーザはマウスなどの操作部３０４を操作して詳細表示したい画像をクリックするなどして選択する。選択されたＪＰＥＧ画像を詳細表示受付部３２４が受け付ける（ステップＳ６７）。
【００９３】
図８に表示部３２０に表示される画面の例を示す。図８(ａ)に示すように、ＪＰＥＧ画像表示画面４００は、ステップＳ６３で受信されたＪＰＥＧ画像のファイル名のリスト４０２と、リスト４０２の中から操作部３０４を操作してマウスポインタ４０６を合わせてクリックして選択されたファイル名４０４のＪＰＥＧ画像４０８を表示する画像表示欄４０９と、を含むことができる。リスト４０２から複数のファイル名を選択することもできる。画像表示部４０８には、複数のＪＰＥＧ画像を表示してもよい。
【００９４】
図８（ｂ）に示すように、他の画面の例では、ＪＰＥＧ画像表示画面４２０は、少なくとも一つのＪＰＥＧ画像のサムネイル４２２とファイル名４２４とを含むことができる。ここでも、マウスポインタ４０６を合わせてクリックしてＪＰＥＧ画像を少なくとも一つ選択することができる（図中、破線４２６で示される部分）。
【００９５】
なお、ここで、ＪＰＥＧ画像表示画面４００、４２０は、一般的な画像参照用のビュワーやウェブブラウザなどを用いてもよく、その場合、詳細表示ボタン４１０の表示および処理を含むプログラムとして、詳細表示受付部３２４を提供することができる。このプログラムをインストールして詳細表示ボタン４１０をビュワーなどに組み込み、詳細表示受付部３２４として機能させることができる。
【００９６】
少なくとも一つのＪＰＥＧ画像が選択された状態で、詳細表示ボタン４１０の操作を受け付けると、詳細表示受付部３２４は、先に選択されているＪＰＥＧ画像の詳細表示指示として受け付け、後述する処理を行う。あるいは、マウスポインタ４０６を合わせたＪＰＥＧ画像をダブルクリックすることによって、そのＪＰＥＧ画像の詳細表示指示として受け付けることもできる。
【００９７】
図７に戻り、抽出部３２６が、ステップＳ６７で詳細表示受付部３２４が受け付けたＪＰＥＧ画像ファイル５０の図３に示すコメントセグメント６０、すなわち図４のコメントセグメント６０のコメントマーカ６２を検出する（ステップＳ６９）。そして、抽出部３２６が、コメントセグメント６０から患者ＩＤ６６、検査インスタンスＵＩＤ６８、シリーズインスタンスＵＩＤ７０およびＳＯＰインスタンスＵＩＤ７２の中から少なくとも一つを抽出する（ステップＳ７１）。
【００９８】
つづいて、ＤＩＣＯＭ画像要求部３２８が、抽出部３２６が抽出した患者ＩＤ６６、検査インスタンスＵＩＤ６８、シリーズインスタンスＵＩＤ７０またはＳＯＰインスタンスＵＩＤ７２を含むＤＩＣＯＭ医療画像の参照要求をインタフェース部３３０を介して医療情報管理装置１００に対して行う（ステップＳ７３）。
【００９９】
具体的には、たとえば、選択されたＪＰＥＧ画像から抽出されたＳＯＰインスタンスＵＩＤ７２を検索キーとして、ＤＩＣＯＭ画像要求部３２８が医療情報管理装置１００に選択されたＪＰＥＧ画像に対応するＤＩＣＯＭ医療画像を要求する。
【０１００】
あるいは、選択されたＪＰＥＧ画像から抽出された患者ＩＤ６６を検索キーとして、ＤＩＣＯＭ画像要求部３２８は、医療情報管理装置１００に選択されたＪＰＥＧ画像の同じ患者の全ＤＩＣＯＭ医療画像を一括要求することができる。
【０１０１】
あるいは、選択されたＪＰＥＧ画像から抽出された検査インスタンスＵＩＤ６８を検索キーとして、ＤＩＣＯＭ画像要求部３２８は、医療情報管理装置１００に選択されたＪＰＥＧ画像と同じ検査日、または検査日を含む所定の期間の全ＤＩＣＯＭ医療画像を一括要求することもできる。あるいは選択されたＪＰＥＧ画像から抽出されたＳＯＰインスタンスＵＩＤ７２を検索キーとして、ＤＩＣＯＭ画像要求部３２８は、医療情報管理装置１００に選択されたＪＰＥＧ画像と同じ検査の同じシリーズの全ＤＩＣＯＭ医療画像を一括要求することもできる。
【０１０２】
このようにして一括要求され、医療情報管理装置１００から画像参照装置３００に読み込まれた複数のＤＩＣＯＭ医療画像は、たとえば、所定のアプリケーションツールを使用して、たとえば、同じ患者の同じ部位の映像の経時変化を観察するなど比較読影することができる。
【０１０３】
医療情報管理装置１００において、要求受付部１７２がインタフェース部１７０を介して第４ネットワーク９上の画像参照装置３００からＤＩＣＯＭ医療画像の参照要求を受け付ける（ステップＳ８１）。つづいて、ＤＩＣＯＭ画像検索部１７４が、参照要求に含まれる患者ＩＤ６６、検査インスタンスＵＩＤ６８、シリーズインスタンスＵＩＤ７０またはＳＯＰインスタンスＵＩＤ７２に対応するＤＩＣＯＭ医療画像を医療情報記憶部１１０およびＤＩＣＯＭ画像記憶部１２０を参照して検索する（ステップＳ８３）。ＤＩＣＯＭ画像検索部１７４が検索したＤＩＣＯＭ医療画像をインタフェース部１７０を介して第４ネットワーク９上の画像参照装置３００に送信する（ステップＳ８５）。
【０１０４】
そして、画像参照装置３００において、ＤＩＣＯＭ画像受信部３３２がインタフェース部３３０を介して医療情報管理装置１００からＤＩＣＯＭ医療画像を受信する（ステップＳ７５）。受信したＤＩＣＯＭ医療画像は、ＤＩＣＯＭ画像記憶部３４０に格納され、表示制御部３２２によって表示部３２０上に表示される（ステップＳ７７）。このようにして、指定されたＪＰＥＧ画像の元のＤＩＣＯＭ医療画像を表示部３２０上に表示することができ、ユーザは、指定したＪＰＥＧ画像の詳細な画像を見ることができる。
【０１０５】
以上説明したように、本実施形態の医療情報処理システムによれば、小規模な構成の装置でも取扱いが容易なＪＰＥＧ画像からその元となる詳細な画像であるＤＩＣＯＭ医療画像を逆引きすることがＪＰＥＧ画像のみの情報で可能となるので、利便性が向上する。
【０１０６】
以上、図面を参照して本発明の実施形態について述べたが、これらは本発明の例示であり、上記以外の様々な構成を採用することもできる。
【０１０７】
たとえば、上記実施の形態では、ＪＰＥＧ規格の画像圧縮データの付帯情報記憶領域として、コメントセグメントを使用した場合について記載したが、これに限定されず、ＡＰＰセグメント（マーカ：ＦＦＥ０ｈ〜ＦＦＥＦｈ）、またはリザーブセグメント（マーカ：ＦＦＦ０ｈ〜ＦＦＦＤｈ）などを用いることができる。
【０１０８】
また、上記実施形態において、医療画像管理装置２００および画像参照装置３００は、第３ネットワーク７を介して接続された個別の装置としたが、これに限定されない。医療画像管理装置２００および画像参照装置３００は、同じ一つの装置とすることもできる。
【図面の簡単な説明】
【０１０９】
【図１】本発明の実施の形態に係る医療情報処理システムの構成を示す機能ブロック図である。
【図２】図１のＪＰＥＧ画像生成部の詳細を示す機能ブロック図である。
【図３】一般的なＪＰＥＧ画像のフォーマットを示す図である。
【図４】図１の医療情報処理システムで生成されるＪＰＥＧ画像ファイルのコメントセグメントの構造の一例を示す図である。
【図５】本実施形態の医療情報処理システムのＤＩＣＯＭ医療画像からＪＰＥＧ画像への変換時の動作の一例を示すフローチャートである。
【図６】本発明の実施の形態に係る医療情報処理システムの構成を示す機能ブロック図である。
【図７】本実施形態の医療情報処理システムのＪＰＥＧ画像参照時のＤＩＣＯＭ画像逆引き時の動作の一例を示すフローチャートである。
【図８】図７の医療情報処理システムのＪＰＥＧ画像からＤＩＣＯＭ画像の詳細表示を行うための画面の一例を示す図である。
【符号の説明】
【０１１０】
１  第１ネットワーク
３  モダリティ装置
５  第２ネットワーク
７  第３ネットワーク
９  第４ネットワーク
１０  医療情報処理システム
５０  ＪＰＥＧ画像ファイル
５２  ＳＯＩ
５４  セグメント
６０  コメントセグメント
６２  コメントマーカ
６４  レングス
６６  患者ＩＤ
６８  検査インスタンスＵＩＤ
７０  シリーズインスタンスＵＩＤ
７２  ＳＯＰインスタンスＵＩＤ
８０  イメージデータ
８２  ＥＯＩ
１００  医療情報管理装置
１０２  インタフェース部
１０４  ＤＩＣＯＭ画像受信部
１０６  登録部
１１０  医療情報記憶部
１２０  ＤＩＣＯＭ画像記憶部
１３０  ＪＰＥＧ画像生成部
１３２  変換部
１３４  ＪＰＥＧ変換作業エリア
１３６  位置検出部
１３８  情報取得部
１４０  記録部
１４２  保存部
１５０  ＪＰＥＧ画像記憶部
１６０  ＪＰＥＧ画像送信部
１６２  インタフェース部
１７０  インタフェース部
１７２  要求受付部
１７４  ＤＩＣＯＭ画像検索部
１７６  ＤＩＣＯＭ画像送信部
２００  医療画像管理装置
２０２  インタフェース部
２０４  ＪＰＥＧ画像受信部
２１０  ＪＰＥＧ画像記憶部
２２０  インタフェース部
２２２  指定受付部
２２４  ＪＰＥＧ画像検索部
２２６  ＪＰＥＧ画像送信部
３００  画像参照装置
３０２  インタフェース部
３０４  操作部
３０６  ＪＰＥＧ画像指定受付部
３０８  ＪＰＥＧ画像受信部
３１０  ＪＰＥＧ画像記憶部
３２０  表示部
３２２  表示制御部
３２４  詳細表示受付部
３２６  抽出部
３２８  ＤＩＣＯＭ画像要求部
３３０  インタフェース部
３３２  ＤＩＣＯＭ画像受信部
３４０  ＤＩＣＯＭ画像記憶部
４００  ＪＰＥＧ画像表示画面
４０２  リスト
４０４  ファイル名
４０６  マウスポインタ
４０８  ＪＰＥＧ画像
４０９  画像表示欄
４１０  詳細表示ボタン
４２０  ＪＰＥＧ画像表示画面
４２２  サムネイル
４２４  ファイル名
【図１】
2006260232.tif 000003
【図２】
2006260232.tif 000004
【図３】
2006260232.tif 000005
【図４】
2006260232.tif 000006
【図５】
2006260232.tif 000007
【図６】
2006260232.tif 000008
【図７】
2006260232.tif 000009
【図８】
2006260232.tif 000010